(57)【要約】      （修正有）【課題】足がフットレストの上に置かれた状態で足が安定するリクライニング椅子を提供する。【解決手段】レッグレストフレーム１９と、バックレストフレームと、バックレストフレームの下端部に枢支される座部フレーム１４と、前脚フレーム１５と後脚フレーム１６の左右上方端部の交差部を枢支してなる脚部と、後端側をバックレストフレームに枢支され前端側を上方に回動可能とし、かつ内部に交差部を所望の位置に係止可能とするアームレストフレームとを具備し、座部フレームの開放する側の両端部は下方に折り曲げられた湾曲部が形成され、レッグレストフレームの開放する側の両端部近傍には先端に当接部材１９ｃを取り付けた連結棒が設けられ、レッグレストフレームが引き出される際には、当接部材が座席フレームの湾曲部に当接して徐々に停止するものであり、レッグレストフレームに備わったレッグレスト部Ｆが先部に足載せ用の膨大部Ｆ１を有している。【選択図】図１
2016101301.tif 000002
【特許請求の範囲】
【請求項１】
レッグレスト部を備え、アームレストの操作によりバックレストを傾倒・起立させるようにしたアームレスト操作式のリクライニング椅子であって、
レッグレストフレームと、
バックレストフレームと、
前記バックレストフレームの下端部に枢支される座部フレームと、
前脚フレームと後脚フレームの左右上方端部の交差部を枢支してなる脚部と、
後端側を前記バックレストフレームに枢支され前端側を上方に回動可能とし、かつ内部に前記交差部を所望の位置に係止可能とした係止部を有するアームレストフレームとを具備し、
前記座部フレームの開放する側の両端部は下方に鈍角状に折り曲げられた湾曲部が形成され、該湾曲部の端部には連結棒が設けられており、
前記レッグレストフレームが前記座部フレームの前方から引き出し可能であり、
該レッグレストフレームの開放する側の両端部近傍には連結棒が設けられ、連結棒の両端部から突出する先端には、それぞれ当接部材が取り付けられており、前記レッグレストフレームが引き出される際には、その当接部材が座席フレームの湾曲部に滑らかに当接して徐々に停止するものであり、
レッグレストフレームに備わったレッグレスト部が先部に足載せ用の膨大部を有していることを特徴とするリクライニング椅子。
【請求項２】
レッグレスト部は、被覆シートよりなり、膨大部の空部に詰め部材が充填されていることを特徴とする請求項１記載のリクライニング椅子。
【請求項３】
被覆シートは、その前端にループ部が形成されており、レッグレストフレームの横フレームが巻き込まれ、該ループ部にＳ字状バネが挿入されることにより取り付けられていることを特徴とする請求項１記載のリクライニング椅子。
【請求項４】
被覆シートは、その後端にループ部が形成されており、このループ部に連結棒が挿入されて取り付けられていることを特徴とする請求項１記載のリクライニング椅子。
【請求項５】
膨大部の詰め部材は、ポリウレタンチップが充填されることにより形成されていることを特徴とする請求項１記載のリクライニング椅子。
【請求項６】
前記座部フレームは、その対向する側部の略中間部の前側部位がピンＰ３によって前記前脚フレームの略中間部に枢支され、その対向する側部の後端部位がピンＰ４によって前記バックレストフレームの下端近傍に枢支され、前記後脚フレームの略中間部よりやや下方の部位がピンＰ５によって連結リンクに枢支され、前記ピンＰ１ないし前記ピンＰ５を枢軸としてリクライニング椅子が折り畳まれることを特徴とする、請求項１〜５のいずれか１項に記載のリクライニング椅子。
【発明の詳細な説明】
【技術分野】
【０００１】
本発明は、レッグレストを座部の前方から引き出すことができるリクライニング椅子に関するもので、更に詳しくは、そのレッグレストに足を安定して置くことができるリクライニング椅子に関するものである。
【背景技術】
【０００２】
現在、足を伸ばしたままで休めるレッグレストを備えたリクライニング椅子が広く使用されている。
このレッグレストを備えるリクライニング椅子は、座った後、前方に伸ばした足部がレッグレストにより支持されるものである。
そのため使用者は足を伸ばしたままの姿勢で休息することがきるので、老人等に多く使用されている。
このようなレッグレストを備えるリクライニング椅子としては、折り畳み可能な椅子で、使用しない場合は折り畳んでおき、必要な時にのみ展開して使用するものがある。
このように折り畳むことで嵩張らなくなるので保管スペースが小さくなることもあり極めて便利である。
【０００３】
このようなレッグレストを備えるリクライニング椅子で折り畳みのできるものとして、特許文献１に記載されているような折畳式肘掛椅子が知られている。
この特許文献１に記載されている折畳式肘掛椅子は、背もたれにリンクロッドを介して足のせを連結し、座席に対して背もたれの位置変化に応じて足のせの位置を変化させるように構成した折畳式肘掛椅子である。
そして、リンクロッドの後端と背もたれとの間にクランク部材を介在させ、クランク部材を背もたれに対し折畳方向とは反対方向にのみ自由に回動可能に連結し、クランク部材が背もたれに形成させた対応する係止部と協動する支持部を有することを特徴としている。
【０００４】
また特許文献２に記載されているような折畳式のリクライニング椅子も知られている。
この特許文献２に記載されているリクライニング椅子は、レッグレストを備え、アームレストの操作によりバックレストを傾倒・起立させるようにしたアームレスト操作式のリクライニング椅子であり、前記レッグレストフレームが前記座部フレームの前方から引き出し可能となっているものである。
【先行技術文献】
【特許文献】
【０００５】
【特許文献１】特開昭６３−６８１１４号公報
【特許文献２】特許第５２５５００４号公報
【発明の概要】
【発明が解決しようとする課題】
【０００６】
しかし、上述した各特許文献に記載の折畳式肘掛椅子やリクライニング椅子は、足のせ（レッグレスト）が平らであり、そこに足部を乗せた場合、必ずしも足先の居心地が良くない。
何故なら、足を伸ばした状態では、下脚（踝から膝まで）とレッグレスト上面との間に空間が生じて足が安定しないのである。
【０００７】
そのため踵にのみ脚の荷重が集中して、極端な時には痛みを生じることさえある。
更に、大柄な下脚の長い人にとっては、足先がフットレストより飛び出してしまう。
その結果、座席のフレームの先端に足首の裏付近が直接当る状態となり、そこで足荷重が支えられるため痛みを感じることとなる(図１６参照)。
このように、従来のこれらの椅子は足の安定が悪く、また痛みを感じることもあり、フットレストの機能としては必ずしも十分満足できるものではなかった。
【０００８】
本発明は、このような問題点を背景になされたもので、足がレッグレストの上に置かれた状態で足が安定するリクライニング椅子を提供することを課題とするものである。
【課題を解決するための手段】
【０００９】
本発明者らは、このような問題点を解決するために鋭意検討したところ、レッグレストに膨出部を設けここに前脚を乗せることで、足首が動きにくくなることを見出し、この知見をもとに、本発明を完成するに至った。
【００１０】
すなわち本発明は、（１）、レッグレスト部を備え、アームレストの操作によりバックレストを傾倒・起立させるようにしたアームレスト操作式のリクライニング椅子であって、レッグレストフレームと、バックレストフレームと、前記バックレストフレームの下端部に枢支される座部フレームと、  前脚フレームと後脚フレームの左右上方端部の交差部を枢支してなる脚部と、後端側を前記バックレストフレームに枢支され前端側を上方に回動可能とし、かつ内部に前記交差部を所望の位置に係止可能とした係止部を有するアームレストフレームとを具備し、前記座部フレームの開放する側の両端部は下方に鈍角状に折り曲げられた湾曲部が形成され、該湾曲部の端部には連結棒が設けられており、前記レッグレストフレームが前記座部フレームの前方から引き出し可能であり、該レッグレストフレームの開放する側の両端部近傍には連結棒が設けられ、連結棒の両端部から突出する先端には、それぞれ当接部材が取り付けられており、前記レッグレストフレームが引き出される際には、その当接部材が座席フレームの湾曲部に滑らかに当接して徐々に停止するものであり、レッグレストフレームに備わったレッグレスト部が先部に足載せ用の膨大部を有しているリクライニング椅子に存する。
【００１１】
すなわち本発明は、（２）、レッグレスト部は、被覆シートよりなり、膨大部の空部に詰め部材が充填されている上記（１）記載のリクライニング椅子に存する。
【００１２】
すなわち本発明は、（３）、被覆シートは、その前端にループ部が形成されており、レッグレストフレームの横フレームが巻き込まれ、該ループ部にＳ字状バネが挿入されることにより取り付けられている上記（１）記載のリクライニング椅子に存する。
【００１３】
すなわち本発明は、（４）、被覆シートは、その後端にループ部が形成されており、このループ部に連結棒が挿入されて取り付けられている上記（１）記載のリクライニング椅子に存する。
【００１４】
すなわち本発明は、（５）、膨大部の詰め部材は、ポリウレタンチップが充填されることにより形成されている上記（１）記載のリクライニング椅子に存する。
【００１５】
すなわち本発明は、（６）、前記座部フレームは、その対向する側部の略中間部の前側部位がピンＰ３によって前記前脚フレームの略中間部に枢支され、その対向する側部の後端部位がピンＰ４によって前記バックレストフレームの下端近傍に枢支され、前記後脚フレームの略中間部よりやや下方の部位がピンＰ５によって連結リンクに枢支され、前記ピンＰ１ないし前記ピンＰ５を枢軸としてリクライニング椅子が折り畳まれる上記（１）〜（５）のいずれか１項に記載のリクライニング椅子に存する。
【００１６】
なお、本発明の目的に沿ったものであれば上記（１）〜（６）を適宜組み合わせた構成も当然採用可能である。  
【発明の効果】
【００１７】
１）本発明によれば、レッグレストフレームが座部フレームの前方から引き出し可能であり、レッグレストフレームに備わったレッグレスト部が先部に足載せ用の膨大部を有しているので、レッグレストフレームの横フレームに足首が当たることはない。
また、膨大部の上に踝の上付近が乗るので脚が安定性する。
バックレストフレームの傾倒角度に関係なく、レッグレスト部分の長さ（奥行き）を着座者の体格や好みに応じて調整することができる。
【００１８】
２）レッグレスト部は、被覆シートよりなり、膨大部の空部に詰め部材が充填されているので、膨大部に柔らかいクッション性を与えることができ、また容易に製造が可能である。
【００１９】
３）被覆シートは、その前端にループ部が形成されており、レッグレストフレームの横フレームが巻き込まれ、該ループ部にＳ字状バネが挿入されることにより取り付けられているので、レッグレストフレームに被覆シートを容易に取り付けることができ、且つ取り付け後の固定が確実である。
【００２０】
４）被覆シートは、その後端にループ部が形成されており、このループ部に連結棒が挿入されて取り付けられているので、同様に、レッグレストフレームに被覆シートを容易に取り付けることができ、且つ取り付け後の固定が確実である。  
【００２１】
５）膨大部の詰め部材は、ポリウレタンチップが充填されることにより形成されているので、柔らかい弾性が確保でき、耐久性がある。
【００２２】
６）座部フレームは、その対向する側部の略中間部の前側部位がピンＰ３によって前脚フレームの略中間部に枢支され、その対向する側部の後端部位がピンＰ４によってバックレストフレームの下端近傍に枢支され、後脚フレームの略中間部よりやや下方の部位がピンＰ５によって連結リンクに枢支され、ピンＰ１ないしピンＰ５を枢軸としてリクライニング椅子が折り畳まれるようになっているので、折り畳みを簡単に行うことができ、また持ち運びや設置等の取り扱いが容易となる。
【図面の簡単な説明】
【００２３】
【図１】図１は、本発明の実施の形態に係るリクライニング椅子の概略斜視図である。
【図２】図２は、図１のリクライニング椅子からクッション部を取り外した概略斜視図である。
【図３】図３は、図１のリクライニング椅子のクッション部の概略斜視図である。
【図４】図４は、図２のリクライニング椅子の概略側面図である。
【図５】図５は、図４においてＸ方向から見た部分拡大図である。
【図６】図６は、アームレストを示し、図６（Ａ）はその係止部を含む断面図で、図６（Ｂ）はその底面図である。
【図７】図７は、座部フレームを示し、図７（Ａ）はその平面図で、図７（Ｂ）はその側面図である。
【図８】図８は、レッグレストフレームを示し、図８（Ａ）はその平面図で、図８（Ｂ）はその側面図で、図８（Ｃ）はその端面図である。
【図９】図９は、座部フレームとレッグレストフレームを組み付けた状態を示し、図９（Ａ）はその平面図で、図９（Ｂ）はその側面図で、図９（Ｃ）は図９（Ａ）及び図９（Ｂ）に示すレッグレストフレームが座部フレームの下方に完全に押し込まれた状態を示す側面図である。
【図１０】図１０は、リクライニング椅子を折り畳んだ状態を説明する図であり、図１０（Ａ）はクッション部を載置する前の状態、図１０（Ｂ）は図１０（Ａ）に示す折り畳み状態の上にクッション部を載置した状態を示す。
【図１１】図１１は、レッグレスト部の構造を示す斜視図である。
【図１２】図１２は、レッグレスト部の構造を説明する断面図である。
【図１３】図１３は、レッグレスト部をレッグレストフレームに取り付けた様態を説明する断面図である。
【図１４】図１４は、肉厚にした被覆シートを示す断面図である。
【図１５】図１５は、レッグレスト部を引き出して脚部を乗せた状態を示す概略図である。
【図１６】図１６は、従来のようなレッグレスト部を示す概略図である。
【図１７】図１７は他の例のリクライニング椅子の概略側面図である。
【発明を実施するための形態】
【００２４】
本発明の実施の形態に係るリクライニング椅子１０について以下に説明する。
図１は、本発明の実施の形態に係るリクライニング椅子の概略斜視図であり、図２は、図１のリクライニング椅子からクッション部を取り外した概略斜視図である。
また図３は、図１のリクライニング椅子のクッション部の概略斜視図である。
図４は、図２のリクライニング椅子の概略側面図であり、図５は、図４においてＸ方向から見た部分拡大図である。
【００２５】
本発明の実施の形態に係るリクライニング椅子１０は、図１〜図３に示すように、全体の骨組みを形作るためのリクライニング椅子フレーム１１と、それに取り付けられたクッション部材１２とから構成されている。
【００２６】
リクライニング椅子フレーム１１は、バックレストフレーム１３と、座部フレーム１４と、脚部を構成する前脚フレーム１５及び後脚フレーム１６とを備える。
そして腕部を乗せるためのアームレスト１７と足部を乗せるためのレッグレストフレーム１９と備えている。
またバックレストフレーム１３と座部フレーム１４とには、クッション部材１２を取り付けた状態において、適宜な弾発力を与えるためのＳ字状ばね２０(波ばね)とを備えている。
【００２７】
クッション部材１２は、背当て部に相当する部分であるバックレストクッション部１２ａと座部に相当する部分である座部クッション部１２ｂとよりなり、リクライニング椅子フレーム１１に取り付けた状態から引き離すことにより取り外すことができる。
そして、バックレストクッション部１２ａの上部背面にはバックレストフレーム１３の上部に被せる袋状部（図示しない）が形成されており、この袋状部をバックレストフレーム１３の上部に被せることにより、バックレストクッション部１２ａがバックレストフレーム１３に装着されるようになっている。
また座部クッション部１２ｂは座部フレーム１４の上に載置された状態となる。
【００２８】
バックレストフレーム１３は、図２に示すように、金属製のパイプを折り曲げて下方が開放するＵ字状に形成されており、複数（図２の例では２本）のＳ字状ばね２０が取り付けられている。
【００２９】
一方、座部フレーム１４には、クッション部材１２のうちバッグレストクッション部１２ａが取り付けられる。
図７は、座部フレーム１４を示し、図７（Ａ）はその平面図で、図７（Ｂ）はその側面図である。
図に示すように、座部フレーム１４は金属製のパイプを折り曲げて一方（図７において右側）が開放するＵ字状に形成されており、複数（図２，図７の例では２本）のＳ字状ばね２０が取り付けられている。
【００３０】
また、座部フレーム１４の開放する側の両端部は下方に鈍角状に折り曲げられた湾曲部１４ｃが形成されており、この鈍角状に折り曲げられた湾曲部１４ｃ端部には連結棒１４ａが設けられている。
（尚、連結棒１４ａは、座部フレーム１４と一体化しておくことも当然可能である。）
さらに、座部フレーム１４の対向する側部の内側にはそれぞれ案内ロッド１４ｂが配置され、この案内ロッド１４ｂの基端側はＵ字状に折り曲げられており、その端部が座部フレーム１４の対向する側部の内側に挿入係止されている。
また、（図４に示すように、）座部フレーム１４の対向する側部の略中間部の前側部位がピンＰ３によって前脚フレーム１５の略中間部に枢支されている。
【００３１】
前脚フレーム１５は、図１，図２に示すように、金属製のパイプを折り曲げて上方が開放するＵ字状に形成されており、床に接する部分にはプロテクター２１が嵌め込まれている。
また、前脚フレーム１５は、長さ方向の途中から前方に滑らかに屈曲している。
【００３２】
後脚フレーム１６も、図１，図２に示すように、前脚フレーム１５と同様に、金属製のパイプを折り曲げて上方が開放するＵ字状に形成されており、床に接する部分にはプロテクター２１が嵌め込まれている。
また、後脚フレーム１６は、長さ方向の途中から後方に滑らかに屈曲している。
そのため、前脚フレーム１５と後脚フレーム１６の開脚時に、座部フレームの安定性が増す。
【００３３】
そして、図４に示すように、前脚フレーム１５と後脚フレーム１６との左右上端部は交差して交差部を形成しており、この交差部は後述する傾倒位置決め用のピンＰ１によって枢支されている。
この交差部においては、前脚フレーム１５と後脚フレーム１６とを、直接、ピンＰ１で枢着していてもよいし、一方の前脚フレーム１５の上端に傾倒位置決め用のピンＰ１を取り付け、該上端から下がった位置の前脚フレーム１５に後脚フレーム１５を他方のピンで枢着することも可能である。
また一方の後脚フレーム１６の上端に傾倒位置決め用のピンＰ１を取り付け、該上端から下がった位置の後脚フレーム１６に前脚フレーム１５を他方のピンで枢着することも可能である。
アームレスト１７は、合成樹脂材によりできており内部が中空に一体成形されている。
【００３４】
図６は、アームレストを示し、図６（Ａ）はその係止部を含む断面図で、図６（Ｂ）はその底面図である。
このアームレスト１７の後側はピンＰ２によりバックレストフレーム１３に枢支され、これにより前側がピンＰ２を支点として、仮想線で示すように上方回動できるようになっている。
アームレストフレーム１７の側部の各内面には、側面視で鋸刃状をなす複数個の係止突起１７ａが形成された係止部１７ｂが設けられている。
【００３５】
図６（Ａ），図６（Ｂ）に示すように、係止突起１７ａ間には前述したピンＰ１の両端部Ｐ１ａが係止され、これによりバックレスト１３の傾倒位置、すなわち傾倒角度が決定される。
このようにピンＰ１の両端部Ｐ１ａが前後方向に移動され、係止突起１７ａ間に係止されるとき、係止突起１７ａの先端部が鋸刃状に形成されているので、ピンＰ１の両端部Ｐ１ａの移動及び係止が容易かつ確実に行うことができる。
【００３６】
連結リンク１８は、図４，図５に示すように、その上方にピンＰ４を備え、その下方にピンＰ５を備えている。
そして、図５に示すように、座部フレーム１４の対向する側部の後端部位がピンＰ４によってバックレストフレーム１３の下端近傍に枢支され、後脚フレーム１６の略中間部よりやや下方の部位がピンＰ５によって連結リンク１８に枢支されている。
レッグレストフレーム１９は、レッグレスト部が取り付けられるところである。
【００３７】
図８は、レッグレストフレームを示し、図８（Ａ）はその平面図で、図８（Ｂ）はその側面図で、図８（Ｃ）はその端面図である。
図８に示すように、金属製のパイプにより後端側が開放されてＵ字状に形成されており、複数（図８の例では２本）のＳ字状ばね２０が取り付けられている。
また、レッグレストフレーム１９の開放する側の両端部近傍には連結棒１９ａが設けられている。
そして、連結棒１９ａの両端部から突出する軸１９ｂの先端にはそれぞれ当接部材１９ｃ(例えば、円形の当接部材)が取り付けられ、当接部材１９ｃはレッグレストフレーム１９の対向する側部の外側に位置している。
【００３８】
図７に示す座部フレーム１４と図８に示すレッグレストフレーム１９とは、案内ロッド１４ｂを介して組み付けられている。
【００３９】
図９は、座部フレームとレッグレストフレームを組み付けた状態を示し、図９（Ａ）はその平面図で、図９（Ｂ）はその側面図で、図９（Ｃ）は図９（Ａ）及び図９（Ｂ）に示すレッグレストフレームが座部フレーム１４に完全に押し込まれた状態を示す側面図である。
【００４０】
図９（Ａ）は、レッグレストフレーム１９が座部フレーム１４の前方に最大限引き出された状態を示す平面図であり、図９（Ｂ）はレッグレストフレーム１９が座部フレーム１４の前方に最大限引き出された状態を示す側面図である。
また、図９（Ｃ）はレッグレストフレーム１９が座部フレーム１４の下方に完全に押し込まれた状態を示す側面図である。
【００４１】
レッグレストフレーム１９は、座部フレーム１４の連結棒１４ａにより下方から支持されるとともに、案内ロッド１４ｂに案内されて座部フレーム１４に対して前後方向に引き出され、あるいは押し込まれる。
なお、前述したように案内ロッド１４ｂの一方端はＵ字状に屈曲されて座部フレーム１４に挿入係止され、他方の端である自由端は中空状のレッグレストフレーム１９の内部に挿入されている。
【００４２】
レッグレストフレーム１９が座部フレーム１４に対して前後方向に引き出され、あるいは押し込まれる際、レッグレストフレーム１９の当接部材１９ｃは座部フレーム１４の下面に沿って移動する。
【００４３】
そして、図９（Ａ），図９（Ｂ）に示すように、レッグレストフレーム１９が座部フレーム１４の前方に最大限に引き出されると、当接部材１９ｃは座部フレーム１４の湾曲部１４ｃの基端部（すなわち先に向かって）に滑らかに当接する。
すなわちレッグレストフレーム１９は鈍角状の湾曲部１４ｃにより徐々に停止していくので、強く引き出しても衝撃がない。
【００４４】
そしてレッグレストフレーム１９は円形の当接部材１９ｃと連結棒１４ａにより片持ち状に支持される。
すなわち、レッグレストフレーム１９が連結棒１４ａを支点として先端部が下がるのを当接部材１９ｃが座部フレーム１４に当たることにより防止している。
この状態でレッグレストフレーム１９の先部に荷重を加えても、当接部材１９ｃが座部フレーム１４の下面に当たって支えるため、レッグレストフレーム１９の先部はこれ以上下がらない。
【００４５】
また、図９（Ｃ）に示すように、レッグレストフレーム１９が座部フレーム１４の下方に完全に押し込まれた状態のとき、レッグレストフレーム１９の前端部は連結棒１４ａにより支持されるとともに、その後端部は案内ロッド１４ｂの基端部側（後端側）に当接している。
【００４６】
さて、リクライニング椅子１０は、次にように、全体を折り畳むことができる。
図１０は、リクライニング椅子を折り畳んだ状態を説明する図であり、図１０（Ａ）はクッション部を載置する前の状態、図１０（Ｂ）は図１０（Ａ）に示す折り畳み状態の上にクッション部を載置した状態を示す。
【００４７】
リクライニング椅子１０のリクライニング椅子フレーム１１は、バックレストフレーム１３、レッグレストフレーム１９を含む座部フレーム１４、前脚フレーム１５、後脚フレーム１６、アームレスト１７のそれぞれが、ピンＰ１〜Ｐ５のいずれかを介し、相互に枢動可能に枢支されているので、バックレストフレーム１３と座部フレーム１４とを合わせるように折り畳むと、図１０（Ａ）に示すように、リクライニング椅子フレーム１１全体を折り畳むことができる。
【００４８】
さらに、図１０（Ｂ）に示すように、図１０（Ａ）に示すリクライニング椅子フレーム１１全体を折り畳んだ状態の上にクッション部材１２を載置すると、リクライニング椅子１０をコンパクトにまとめることができる。
この場合、図のように紐等を使うと保管に便利である。
このため、リクライニング椅子１０は、持ち運びや設置等の取り扱いが容易となり、また、不使用時の保管に際しスペースを取らない。
【００４９】
(レッグレスト)
次に、本発明の主なる特徴点であるレッグレストフレーム１９について説明する。
レッグレストフレーム１９は前記座部フレーム１４の前方から引き出し可能であることは既に述べた。
本発明の主なる特徴点は、レッグレストフレーム１９に備わっているレッグレスト部Fが足部、詳しくは人の前脚を載せた場合、安定良く支持することができることである。
すなわち、レッグレスト部Fには、その先方に上面がなだらかな膨大部Ｆ１が設けられている。
【００５０】
図１１は、レッグレスト部Ｆの構造を示す斜視図であり、図１２は、レッグレスト部Ｆの構造を説明する断面図である。
レッグレストフレーム１９には、フレーム自体やS字状バネ２０を覆うための被覆シートｆが取り付けられているが、これを利用してレッグレスト部Ｆが形成されている。
すなわち被覆シートｆは前方に膨大部Ｆ１が設けられており、このような膨大部Ｆ１が設けられた被覆シートｆをレッグレストフレーム１９に取り付けることにより、レッグレスト部Ｆが出来上がる。
【００５１】
図１３は、レッグレスト部Ｆをレッグレストフレーム１９に取り付けた様態を説明する断面図である。
具体的には、被覆シートｆの前端にはループ部が形成されており、レッグレストフレーム１９の横フレームを巻き込むようにして、ループ部にＳ字状バネ２０を挿入することにより、被覆シートｆが取り付けられている。
【００５２】
また被覆シートｆの後端にも、ループ部が形成されており、このループ部に連結棒１９aを挿入することにより取り付けられている。
被覆シートｆの前方の膨大部Ｆ１は、被覆シートｆ空部に、クッション材、例えば、ポリウレタンチップが充填されることにより形成されている。
この膨大部Ｆ１の一部に図示しない充填口(ファスナーにより開閉自在)が設けられており、この充填口からポリウレタンチップの出し入れが可能である。
膨大部F1のクッション性を硬くするには、より多くポリウレタンチップ等の詰め物を充填すればよい。
被覆シートｆの膨大部以外の部分にも少し詰め物を充填して肉厚にすると、接触性が柔らかくなる。
【００５３】
図１４は、肉厚にした被覆シートｆを示す断面図である。
人の前脚を置く部分全体に詰め物を充填して厚みのある被覆シートｆにしている。
ここで膨大部Ｆ１の形としては、断面でいうと、例えば半円形状、角が曲面の矩形状、三角形状、等が採用される。
【００５４】
図１５は、レッグレスト部Ｆを引き出して脚部を乗せた状態を示す概略図である。
この状態では、踵の上の部分が膨大部Ｆに当接するため、前脚が極めて安定した状態となる。
レッグレストフレーム１９の横フレームの膨大部Ｆ１を不用意にいきなり足裏で押し込むようなことがあっても、座席フレーム１４の湾曲部１４ｃに当接部材１９ｃが当接するため弾圧的な反力が作用し大した衝撃とならない。
【００５５】
参考までに、図１６に、従来のような平たいレッグレスト部Ｆを略的に示す。
この状態では、下脚（踝から膝まで）とレッグレスト上面との間に空間が生じて足が安定しないのである。
踵の上の部分(足首の部分)がレッグレストフレーム１９の横フレームに直接圧接するため、荷重が集中し圧迫を受けた痛みとなる。
本発明の実施の形態に係るリクライニング椅子１０の利点を再度述べる。
【００５６】
レッグレストフレーム１９が座部フレーム１４の前方から引き出し可能であるので、バックレストフレーム１３の傾倒角度に関係なく、レッグレスト部分の長さ（奥行き）を着座者の体格や好みに応じて調整することができる。
【００５７】
また、前脚フレーム１５と後脚フレーム１６の開脚時に、座部フレーム１４の前方端が後方端より高く傾斜しているので、着座者が安定して着座できる。
その上、座ったまま、レッグレストフレーム１９を引っ込める場合、下方に引き込む動作となるため引っ込め易い。
【００５８】
また、前脚フレーム１５は長さ方向の途中から前方に滑らかに屈曲し、後脚フレーム１６は長さ方向の途中から後方に滑らかに屈曲しているので、着座時にリクライニング椅子１０が安定する。
また、リクライニング椅子１０が容易に折り畳まれるので、持ち運びや設置等の取り扱いが容易となり、また、不使用時の保管に際しスペースを取らない。
またレッグレスト部Ｆが先部に足載せ用の膨大部Ｆ１有しているので、レッグレストフレーム１９の横フレームに足首が直接当たることはない。
また、膨大部Ｆ１上に踝の上付近が乗るので脚が安定性する。
【００５９】
以上、本発明のリクライニング椅子の実施の形態について、説明したが、必ずしも実施の形態に限られるものではない。
例えば、図４と異なって、ピンＰ４及びピンＰ３を同じ高さ位置にしている例である。
図１７は、そのリクライニング椅子の概略側面図であり、レッグレスト部Ｆを有するレッグレストフレーム１９を引き出した状態を示す。
ピンＰ４及びピンＰ３とを同じ高さ位置にしているが、座る人の脚の先はやや上がり気味になる。
例えば、バックレストフレーム１３を座部フレーム１４に向け折り畳む構造であれば適用可能である。
またアームレスト１７と前脚フレーム１５及び後脚フレーム１６の係止構造は、レールとネジを用いたものも当然採用可能である。
また前脚フレーム１５及び後脚フレーム１６は、途中から屈曲しているが、真っ直ぐになっていてもよい。
【産業上の利用可能性】
【００６０】
本発明のリクライニング椅子は、座部フレームの前方から引き出し可能なレッグレストを設け、レッグレストフレーム１９に備わったレッグレスト部Ｆ先部に足載せ用の膨大部Ｆ１を有しているものであり、レッグレストフレーム１９の横フレームに、直接、足首が当たることはない。
また、膨大部Ｆ１の上に踝の上付近が乗るので脚が安定性する。
このことはリクライニング椅子以外の各椅子にも利用可能である。
【符号の説明】
【００６１】
１０…リクライニング椅子
１１…リクライニング椅子フレーム
１２…クッション部材
１２ａ…バックレストクッション部
１２ｂ…座部クッション部
１３…バックレストフレーム
１４…座部フレーム
１４ａ…連結棒
１４ｂ…案内ロッド
１４ｃ…湾曲部
１５…前脚フレーム
１６…後脚フレーム
１７…アームレスト
１７ａ…係止突起
１７ｂ…係止部
１８…連結リンク
１９…レッグレストフレーム
１９ａ…連結棒
１９ｂ…軸
１９ｃ…当接部材
２０…Ｓ字状ばね
２１…プロテクター
Ｐ１〜Ｐ５…ピン
Ｐ１ａ…ピンＰ１の両端部
Ｆ…レッグレスト部
Ｆ１…膨大部
【図１】
2016101301.tif 000003
【図２】
2016101301.tif 000004
【図３】
2016101301.tif 000005
【図４】
2016101301.tif 000006
【図５】
2016101301.tif 000007
【図６】
2016101301.tif 000008
【図７】
2016101301.tif 000009
【図８】
2016101301.tif 000010
【図９】
2016101301.tif 000011
【図１０】
2016101301.tif 000012
【図１１】
2016101301.tif 000013
【図１２】
2016101301.tif 000014
【図１３】
2016101301.tif 000015
【図１４】
2016101301.tif 000016
【図１５】
2016101301.tif 000017
【図１６】
2016101301.tif 000018
【図１７】
2016101301.tif 000019